(57)【要約】      （修正有）【課題】折り畳み傘を収納するときの直径がより小さく、携行が便利な傘骨の改良構造を提供する。【解決手段】傘骨組１と接続組２とワイヤー引き装置３を含む傘骨組１に、第１親骨１１と第２親骨１２と第３親骨１３を設け、接続組２に第１接続台２１と第２接続台２２を設け、ワイヤー引き装置３に第１引きワイヤー３１と第２引きワイヤー３２を設ける。第１接続台２１と第２接続台２２の一端をそれぞれ第２親骨１２の両端に固定していて、第１親骨１１の一端を第１接続台２１の側面に枢接し、第３親骨１３の一端を第２接続台２２の側面に枢接することによって、第１親骨１１と第２親骨１２と第３親骨１３を閉めるときに並列状を形成することを特徴とする。【選択図】図３
0003200429.tif 000002
【実用新案登録請求の範囲】
【請求項１】
傘骨組と接続組とを備える傘骨の改良構造であって、前記傘骨組は第１親骨と第２親骨と第３親骨を含む、
前記接続組に第１接続台と第２接続台を設け、前記第１接続台と前記第２接続台の一端をそれぞれ前記第２親骨の両端に固定していて、前記第１親骨の一端を前記第１接続台の側面に枢接し、前記第３親骨の一端を前記第２接続台の側面に枢接することによって、前記第１親骨と前記第２親骨と前記第３親骨を閉めるときに並列状を形成することを特徴とする、傘骨の改良構造。
【請求項２】
前記傘骨組と前記接続組との間にワイヤー引き装置を設け、前記第１親骨にとおり穴を設け、前記第３親骨の一端を接続具に接続し、前記ワイヤー引き装置に第１引きワイヤーを有し、前記第１引きワイヤーは第２親骨を巡らす湾曲部を有し、かつ、前記湾曲部の両端にそれぞれ第１接続部と、第２接続部とを延在しており、前記第１接続部をとおり穴に枢接し、前記第２接続部を前記接続具が前第３親骨から離れる他端に枢接することを特徴とする、請求項１記載の傘骨の改良構造。
【請求項３】
前記傘骨組と前記接続組の間に前記ワイヤー引き装置を設け、前記傘骨組の前記第１親骨の両端の間に受け骨を接続し、前記第１接続台が前記第２親骨から離れる末端部に第２枢軸を設け、前記ワイヤー引き装置に第２引きワイヤーを有し、前記第２引きワイヤーの両端をそれぞれ前記受け骨と、前記第２枢軸に枢接することを特徴とする、請求項１記載の傘骨の改良構造。
【請求項４】
前記接続組の前記第１接続台に、第１基部と第２基部を有し、前記第１基部と前記第２基部の間に第１枢軸を設け、前記第１親骨と前記第２親骨の一端を並列にして前記第１枢軸に枢接することを特徴とする、請求項１記載の傘骨の改良構造。
【請求項５】
前記接続組の前記第２接続台に第３基部を有し、前記第３基部の一端を前記第２親骨に接続し、他端の側面に第３枢軸を設け、前記第３傘骨の一端を前記接続具に接続し、前記接続具両端の間に枢接プレートを設け、前記枢接プレートを前記第３枢軸に枢接していて、かつ前記接続具は前記枢接プレートが前記第３傘骨から離れる他端に取付溝を設け、前記第３基部の表面に固定柱を凸設し、前記取付溝を前記固定柱に係合することを特徴とする、請求項１記載の傘骨の改良構造。
【考案の詳細な説明】
【技術分野】
【０００１】
本考案は折り畳み傘の傘骨の接続方式を改良することによって、傘の体積を小さくする、傘骨の改良構造に関する。
【背景技術】
【０００２】
一般の折り畳み傘は、傘骨が中棒を中心として放射状に配列していて、かつ傘骨に複数段の棒体を繋いで形成され、折り畳み傘を閉めるとき、その棒体がカスケード状になる。
【考案の概要】
【考案が解決しようとする課題】
【０００３】
折り畳み傘を閉めるときの直径が大きすぎて、携行不便の問題を引き起こされる。さらに、折り畳み傘の傘骨は中棒を中心として放射状に配列されるため、傘骨と傘骨との間に利用できる空間は比較的に多い。もし、傘骨の棒体を配列状に収納できれば、折り畳み傘を閉めたときの直径を少なくすることが出来る。
【課題を解決するための手段】
【０００４】
本考案の主な目的は、傘骨組に備えた複数の傘骨を収納するときに並列状を形成させ、折り畳み傘を閉めるときの直径を小さくして、携行の便利を図る。
【０００５】
前述目的を達成するため、本考案の傘骨の改良構造は傘骨組と、接続組とを備える。傘骨組は第１親骨と、第２親骨と、第３親骨とを設け、接続組は第１接続台と、第２接続台とを設け、第１接続台と第２接続台の一端をそれぞれ第２親骨の両端に固定し、第１親骨の一端を第１接続台の側面に枢接し、第３傘骨の一端を第２接続台の側面に枢接することによって、第１親骨と、第２親骨と、第３親骨とを閉めたときに並列状を形成させる。
【図面の簡単な説明】
【０００６】
【図１】本考案の側視図である。
【図２】本考案の傘骨組を折り畳むときの動作を示す図である。
【図３】本考案の傘骨組を折り畳んだときの立体図である（その１）。
【図４】本考案の図３Ａの局所拡大図である。
【図５】本考案の図３Ｂの局所拡大図である。
【図６】本考案の傘骨組を折り畳んだときの立体図である（その２）。
【図７】本考案の傘骨組を折り畳んだ後の上面図である。
【図８】本考案の傘骨組を展開したときの立体図である。
【考案を実施するための形態】
【０００７】
以下、添付図面を参照して本考案の実施の形態を詳細に説明する。
【実施例】
【０００８】
図１及び図３ないし５を参照する。図から明かのように、本考案は傘骨組１と、接続組２と、ワイヤー引き装置３と、傘棒組４とを含む。
【０００９】
そのうち、傘棒組４に中棒４１を設け、中棒４１の上端に上ろくろ４２を設けていて、かつ中棒４１に可動ろくろ４３が装着されている。
【００１０】
係る傘骨組１は第１親骨１１と、第２親骨１２と、第３親骨１３とを含む。第１親骨１１にてとおり穴１１１を設けていて、かつ第１親骨１１両端の間に受け骨１４を接続し、第３親骨１３の一端を接続具１３１に接続し、接続具１３１両端の間に枢接プレート１３２を設けていて、かつ接続具１３１は枢接プレート１３２が第３親骨１３から離れる他端に取付溝１３３を設け、第１親骨１１が第１接続台２１から離れるもう一端を上ろくろ４２に枢接され、受け骨１４の一端を可動ろくろ４３に枢接されている。
【００１１】
接続組２に第１接続台２１と、第２接続台２２を設け、第１接続台２１と、第２接続台２２の一端をそれぞれ第２親骨１２の両端に固定し、第１接続台２１に第１基部２１１と、第２基部２１４とを有し、第１基部２１１と第２基部２１４との間に第１枢軸２１２を設けていて、かつ第１接続台２１は第２親骨１２から離れる末端部に第２枢軸２１３を設け、第２枢軸２１３を第１基部２１１と、第２基部２１４との間に設けることによって、第１親骨１１と、第２親骨１２の一端を並列して第１枢軸２１２に枢接される。さらに、第２接続台２２に第３基部２２１を有し、第３基部２２１の一端を第２親骨１２に接続し、他端の側面に第３枢軸２２２を設け、第３親骨１３の枢接プレート１３２を第３枢軸２２２に枢接していて、かつ、第３基部２２１の表面に固定柱２２３を凸設する。これにより、第１親骨１１の一端が第１接続台２１の側面に枢接され、第３親骨１３の一端が第２接続台２２の側面に枢接される。
【００１２】
係るワイヤー引き装置３は第１引きワイヤー３１と、第２引きワイヤー３２とを含む。第１引きワイヤー３１に湾曲部３１１を有し、湾曲部３１１の両端にそれぞれ第１接続部３１２と第２接続部３１３とを延設していて、湾曲部３１１が傘骨組１の第２親骨１２を巡らしており、第１接続部３１２をとおり穴１１１に枢接し、第２接続部３１３は接続具１３１が第３親骨１３から離れる他端に枢接する。一方、第２引きワイヤー３２の両端をそれぞれ受け骨１４と、接続組２の第２枢軸２１３に枢接する。
【００１３】
引き続き図１ないし７を参照する。図から明かのように、本考案の傘骨を閉めるときは、傘棒組４に中棒４１を設けているため、傘を閉めるときに中棒４１の可動ろくろ４３は下向きに受け骨１４の一端を連動して下方に移動し、受け骨１４が第１親骨１１を連動して中棒４１に向かって内側に引込むと同時に、受け骨１４に枢接している第２引きワイヤー３２によって、第１接続台２１が第２親骨１２を連動して内側に引込むと同時に、第１親骨１１に枢接している第１引きワイヤー３１を連動させ、第３親骨１３を内側に引込み、接続組２によって傘骨組１を交差して枢接され、傘骨を閉めたときは、第１親骨１１と、第２親骨１２と、第３親骨１３とを並列状に形成される。
【００１４】
図６ないし８を参照する。図から明かのように、傘を開いたとき中棒４１にある可動ろくろ４３が上向きに受け骨１４を連動して外部に開くと同時に、第１親骨１１を支えて上に移動することによって、第２引きワイヤー３２に枢接している第１接続台２１が第２親骨１２を連動して外部に広げて行き、第１親骨１１に枢接している第１引きワイヤー３１によって、もう一端に枢接している第３親骨１３を広げる。第３基部２２１表面に固定柱２２３凸設することによって、第３親骨１３の取付溝１３３を固定柱２２３に係合させ、傘を広げたとき第２親骨１２と第３親骨１３との連結をより安定させる。
【符号の説明】
【００１５】
１      傘骨組
１１    第１親骨
１１１  とおり穴
１２    第２親骨
１３    第３親骨
１３１  接続具
１３２  枢接プレート
１３３  取付溝
１４    受け骨
２      接続組
２１    第１接続台
２１１  第１基部
２１２  第１枢軸
２１３  第２枢軸
２１４  第２基部
２２    第２接続台
２２１  第３基部
２２２  第３枢軸
２２３  固定柱
３      線引き装置
３１    第１引きワイヤー
３１１  湾曲部
３１２  第１接続部
３１３  第２接続部
３２    第２引きワイヤー
４      傘棒組
４１    中棒
４２    上ろくろ
４３    可動ろくろ
【図１】
0003200429.tif 000003
【図２】
0003200429.tif 000004
【図３】
0003200429.tif 000005
【図４】
0003200429.tif 000006
【図５】
0003200429.tif 000007
【図６】
0003200429.tif 000008
【図７】
0003200429.tif 000009
【図８】
0003200429.tif 000010
【手続補正書】
【提出日】平成27年8月13日(2015.8.13)
【手続補正１】
【補正対象書類名】実用新案登録請求の範囲
【補正対象項目名】請求項２
【補正方法】変更
【補正の内容】
【請求項２】
前記傘骨組と前記接続組との間にワイヤー引き装置を設け、前記第１親骨にとおり穴を設け、前記第３親骨の一端を接続具に接続し、前記ワイヤー引き装置に第１引きワイヤーを有し、前記第１引きワイヤーは第２親骨を巡らす湾曲部を有し、かつ、前記湾曲部の両端にそれぞれ第１接続部と、第２接続部とを延在しており、前記第１接続部をとおり穴に枢接し、前記第２接続部を前記接続具が前記第３親骨から離れる他端に枢接することを特徴とする、請求項１記載の傘骨の改良構造。
【手続補正２】
【補正対象書類名】実用新案登録請求の範囲
【補正対象項目名】請求項３
【補正方法】変更
【補正の内容】
【請求項３】
前記傘骨組と前記接続組の間に前記ワイヤー引き装置を設け、前記傘骨組の前記第１親骨の両端の間に受け骨を接続し、前記第１接続台が前記第２親骨から離れる末端部に第２枢軸を設け、前記ワイヤー引き装置に第２引きワイヤーを有し、前記第２引きワイヤーの両端をそれぞれ前記受け骨と、前記第２枢軸に枢接することを特徴とする、請求項２記載の傘骨の改良構造。
【手続補正３】
【補正対象書類名】実用新案登録請求の範囲
【補正対象項目名】請求項５
【補正方法】変更
【補正の内容】
【請求項５】
前記接続組の前記第２接続台に第３基部を有し、前記第３基部の一端を前記第２親骨に接続し、他端の側面に第３枢軸を設け、前記第３親骨の一端を前記接続具に接続し、前記接続具両端の間に枢接プレートを設け、前記枢接プレートを前記第３枢軸に枢接していて、かつ前記接続具は前記枢接プレートが前記第３親骨から離れる他端に取付溝を設け、前記第３基部の表面に固定柱を凸設し、前記取付溝を前記固定柱に係合することを特徴とする、請求項２記載の傘骨の改良構造。
【手続補正４】
【補正対象書類名】明細書
【補正対象項目名】０００５
【補正方法】変更
【補正の内容】
【０００５】
前述目的を達成するため、本考案の傘骨の改良構造は傘骨組と、接続組とを備える。傘骨組は第１親骨と、第２親骨と、第３親骨とを設け、接続組は第１接続台と、第２接続台とを設け、第１接続台と第２接続台の一端をそれぞれ第２親骨の両端に固定し、第１親骨の一端を第１接続台の側面に枢接し、第３親骨の一端を第２接続台の側面に枢接することによって、第１親骨と、第２親骨と、第３親骨とを閉めたときに並列状を形成させる。